(57)【要約】【課題】送風機で洗濯物に強制送風して速やかに乾燥させる。送風機で強制送風する風を利用して、極めて簡単なメカニズムで洗洗濯物を安定して回転させて、全ての洗濯物を均一に乾燥させる。【解決手段】物干し具は、垂直姿勢でフレーム１に連結している回転軸２と、回転軸２に連結されて洗濯物を連結するハンガー部３と、ハンガー部３の上方に配置されて下向きに乾燥用の空気を強制送風する送風機４を備える。回転軸２には、減速機１７を介して、あるいは直接に送風機４から強制送風される風で回転される羽根５を連結している。この羽根５は、送風機４の下方で洗濯物の上方に配置している。物干し具は、送風機４から強制送風する空気で羽根５を回転し、羽根５が回転軸２を回転し、回転軸２がハンガー部３を回転させて、ハンガー部３に連結している洗濯物を水平面内で回転させながら、羽根５を通過した風で洗濯物を乾燥する。【選択図】図２
2006051134.tif 000002
【特許請求の範囲】
【請求項１】
水平面内で回転できるように垂直姿勢でフレーム(1)に連結している回転軸(2)と、この回転軸(2)に連結されて洗濯物を脱着できるように連結するハンガー部(3)と、このハンガー部(3)の上方に配置されてハンガー部(3)に連結している洗濯物に向かって下向きに乾燥用の空気を強制送風する送風機(4)を備える物干し具であって、
前記回転軸(2)に、減速機(17)を介して、あるいは直接に送風機(4)から強制送風される風で回転される羽根(5)を連結しており、この羽根(5)は送風機(4)の下方にあって洗濯物の上方に配置されており、
送風機(4)から下向きに強制送風する空気が、羽根(5)を通過して洗濯物に向かって下向きに強制送風されると共に、送風機(4)から強制送風する空気で羽根(5)を回転し、羽根(5)が回転軸(2)を回転し、回転軸(2)がハンガー部(3)を回転させて、ハンガー部(3)に連結している洗濯物を水平面内で回転させながら、羽根(5)を通過した風で洗濯物を乾燥するようにしてなる物干し具。
【請求項２】
送風機(4)の真下に羽根(5)を配設して、この羽根(5)を回転軸(2)の上端に連結している請求項１に記載される物干し具。
【請求項３】
回転軸(2)をフレーム(1)に回転できるように吊り下げて連結している請求項１に記載される物干し具。
【請求項４】
回転軸(2)の下端をベアリング(13)を介して回転できるように支持している請求項１に記載される物干し具。
【請求項５】
ハンガー部(3)が、回転軸(2)に放射状に固定しているロッド(3A)である請求項１に記載される物干し具。
【請求項６】
フレーム(1)の上面と周囲を光は透過できるが、雨は透過しない透光性シート(6)で被覆している請求項１に記載される物干し具。
【請求項７】
フレーム(1)の周囲を囲む透光性シート(6)が、開閉できるようにフレーム(1)に連結されている請求項６に記載される物干し具。
【請求項８】
フレーム(1)が、四隅の支柱(7)と、この支柱(7)の上下端を連結する横フレームとを備え、横フレームが伸縮ロッドで伸縮ロッドを伸縮してフレーム(1)の横幅を調整できるようにしている請求項１に記載される物干し具。
【発明の詳細な説明】
【技術分野】
【０００１】
本発明は、洗濯物を回転させながら強制送風して乾燥させる物干し具に関する。
【背景技術】
【０００２】
洗濯物は、送風機で強制送風して速やかに乾燥できる。洗濯物表面にある空気の相対湿度を低くできるからである。このことを実現するために、洗濯物に強制送風して乾燥する物干し具が開発されている（特許文献１及び２参照）。
また、洗濯物を水平面内で回転させて、風を起こして早く乾燥させる物干し具も開発されている（特許文献３参照）。
【特許文献１】特開平９−２９９６９０号公報
【特許文献２】特開２００３−９３７９６号公報
【特許文献３】特開平８−１４１２８５号公報
【発明の開示】
【発明が解決しようとする課題】
【０００３】
特許文献１に記載される物干し具を図１に示す。この物干し具は、大径のリング部材３１、小径のリング部材３２及びこれらを繋ぐ接続片３３でフレーム部材３４を構成し、大径のリング部材３１と小径のリング部材３２には、各々複数のクリップ３５、３５…を紐状材３６を介して吊り下げる。籠状保護ケース３７中に下向きに配した電動モータ３８とその出力軸に固設した送風用ファン３９からなる送風手段４０を配設する。籠状保護ケース３７とフレーム部材３４の小径のリング部材２とは、籠状保護ケース３７の下部周囲と小径のリング部材３２との間に定角度間隔で配した複数の鎖材４１、４１…で結合し、かつ籠状保護ケース３７の上部周囲から２本の鎖材４２、４２を延長し、それらの先端にはフック部材（係合手段）４３を結合する。
【０００４】
この構造の物干し具は洗濯物を速やかに乾燥できる。ただ、全ての洗濯物の全体を均一に乾燥するのが難しい。それは、洗濯物の全体に均一に強制送風するのが難しいからである。風が強くあたる部分は、風があたりにくい部分に比較して速く乾燥される。しかしながら、風のあたり難い部分は効果的に乾燥できない。
【０００５】
特許文献２の物干し具は、送風機で洗濯物を回転させながら乾燥する。この物干し具は、洗濯物を連結する支柱を、ベアリングで回転できるように支持している。この物干し具は、たとえば外部から送風機で強制送風して、洗濯物を回転させながら回転できる。ただ、この構造の物干し具は、送風機で安定して洗濯物を回転させながら、全ての洗濯物の均一に強制送風するのは難しい。また、送風機が強制送風する風速を速くすると、洗濯物が乱れたり、あるいは吹き飛ばされる状態になって、速やかに乾燥できなくなる欠点がある。
【０００６】
特許文献３の公報に記載される物干し具は、モーターを用いて洗濯物を吊したハンガー部を回転させることにより、自ら風を起こし、雨天時においても、また室内でも洗濯物を早く乾くようにしている。この物干し具は、洗濯物自体で風を起こすので、効果的に強制送風するためには、洗濯物を早い速度で回転させる必要がある。ただ、洗濯物を早く回転すると強い遠心力が作用して、洗濯物を外周に振り出してしまう。遠心力は回転数の自乗に比例して大きくなるので、回転速度が遠心力で制限される。遠心力で洗濯物が振り出されないようにゆっくりと回転させると、洗濯物に効果的に風をあてることができなくなる。このため、洗濯物に十分な速度で強制送風しながら、洗濯物を回転させて全体を均一に乾燥できない欠点がある。
【０００７】
本発明は、このような欠点を解決することを目的に開発されたものである。本発明の重要な目的は、送風機で洗濯物に強制送風して速やかに乾燥させると共に、送風機で強制送風する風を利用して洗濯物を安定して回転させて、全ての洗濯物を均一に乾燥できる物干し具を提供することにある。
また、本発明の他の大切な目的は、極めて簡単なメカニズムで洗濯物を安定して回転できる物干し具を提供することにある。
さらにまた、本発明の他の大切な目的は、送風機が強制送風する風速を速くしても、洗濯物を乱すことなく安定して回転させながら乾燥でき、しかも、送風機から強制送風される風を羽根で拡散させて、洗濯物をより均一に乾燥できる物干し具を提供することにある。
【課題を解決するための手段】
【０００８】
本発明の物干し具は、水平面内で回転できるように垂直姿勢でフレーム１に連結している回転軸２と、この回転軸２に連結されて洗濯物を脱着できるように連結するハンガー部３と、このハンガー部３の上方に配置されてハンガー部３に連結している洗濯物に向かって下向きに乾燥用の空気を強制送風する送風機４を備える。物干し具は、回転軸２に、減速機１７を介して、あるいは直接に送風機４から強制送風される風で回転される羽根５を連結している。この羽根５は、送風機４の下方にあって洗濯物の上方に配置している。物干し具は、送風機４から下向きに強制送風する空気を、羽根５を通過させて洗濯物に向かって下向きに強制送風すると共に、送風機４から強制送風する空気で羽根５を回転し、羽根５が回転軸２を回転し、回転軸２がハンガー部３を回転させて、ハンガー部３に連結している洗濯物を水平面内で回転させながら、羽根５を通過した風で洗濯物を乾燥する。
【０００９】
本発明の物干し具は、送風機４の真下に羽根５を配設して、この羽根５を回転軸２の上端に連結することができる。
【００１０】
本発明の物干し具は、回転軸２をフレーム１に回転できるように吊り下げて連結することができる。
【００１１】
本発明の物干し具は、回転軸２の下端をベアリング１３を介して回転できるように支持することができる。
【００１２】
本発明の物干し具は、ハンガー部３を、回転軸２に放射状に固定しているロッド３Ａとすることができる。
【００１３】
本発明の物干し具は、フレーム１の上面と周囲を、光は透過できるが、雨は透過しない透光性シート６で被覆することができる。フレーム１の周囲を囲む透光性シート６は、開閉できるようにフレーム１に連結することができる。
【発明の効果】
【００１４】
本発明の物干し具は、送風機で洗濯物に強制送風して速やかに乾燥させることに加えて、送風機で強制送風される風を有効に利用して、洗濯物を安定して回転させて、全ての洗濯物を均一に乾燥できる特長がある。それは、本発明の物干し具が、送風機で強制送風される風で回転される羽根を設け、この羽根で回転軸を回転し、回転軸に洗濯物を連結するハンガー部を設けているからである。とくに、本発明の物干し具は、送風機が上から下に向かって強制送風し、この風で羽根を回転し、羽根で回転軸を回転してハンガー部を回転させるので、洗濯物を回転させるためにモーター等を設ける必要がない。本発明は、洗濯物に強制送風する風で洗濯物を速やかに乾燥し、さらに洗濯物を水平面内で回転させて均一に乾燥する。
【００１５】
送風機の風で回転させる羽根が回転軸を回転し、回転軸でハンガー部を回転させる本発明の物干し具は、極めて簡単なメカニズムで洗濯物を安定して回転できる特長がある。とくに、羽根の回転を減速機を介して回転軸に伝達するメカニズムは、多数の洗濯物をハンガー部に連結しても、安定して回転させて均一に回転できる特長がある。
【００１６】
さらに、本発明の物干し具は、送風機から強制送風する風速を速くしても、洗濯物を乱すことなく、洗濯物を水平面内で安定して回転させながら均一に乾燥できる特長がある。それは、送風機が下に向かって強制送風し、この風を羽根に通過させて洗濯物に強制送風するからである。上から下向きに強制送風される風は、洗濯物を乱すことがない。また、羽根を通過した風は、羽根で均一に拡散される状態で洗濯物に送風されて、洗濯物をより均一に乾燥させる。
【発明を実施するための最良の形態】
【００１７】
以下、本発明の実施例を図面に基づいて説明する。ただし、以下に示す実施例は、本発明の技術思想を具体化するための物干し具を例示するものであって、本発明は物干し具を以下のものに特定しない。
【００１８】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１９】
図２と図３に示す物干し具は、フレーム１と、このフレーム１内に垂直姿勢に配置している回転軸２と、この回転軸２に連結されて洗濯物を脱着できるように連結するハンガー部３と、このハンガー部３の上方に配置されてハンガー部３に連結している洗濯物に向かって下向きに乾燥用の空気を強制送風する送風機４と、送風機４から強制送風される風で回転軸２を回転させる羽根５とを備える。
【００２０】
フレーム１は、回転軸２とハンガー部３と送風機４と羽根５を内部に収納して、雨が降っても洗濯物が濡れないように、上面と周囲を、光を透過させて、雨を透過させない透光性シート６で被覆している。透光性シート６は、刷りガラスのように表面に凹凸を設けて、光を透過させるが、外部から洗濯物を確認できないようにしている。
【００２１】
図のフレーム１は、四隅の支柱７を上端と下端で連結して、全体の形状を四角柱状としている。このフレーム１は、たとえば外形の寸法を、高さ２ｍ、横幅と奥行きを９０ｃｍとして、多量の洗濯物を収納できるようにしている。ただし、フレームは、高さを１．５〜２．５ｍ、横幅と奥行きを６０ｃｍ〜２ｍとすることもできる。図２に示すフレーム１は、支柱７の上下端に横フレーム４４を連結している。このフレーム１は、横フレーム４４を伸縮ロッドとし、伸縮ロッドを伸縮させて、横幅を簡単に調整できる。さらに図２に示すように、回転軸(2)を連結フレーム４５で連結しているフレーム１は、連結フレーム４５も伸縮フレームとする。
【００２２】
フレーム１は、全体の強度を強くするために、両側面と背面に、格子状の補強ロッド８を固定している。図２の物干し具は、前面の両側部も格子状の補強ロッド８で補強している。この構造のフレーム１は、全体の強度を強くできる。また、透光性シート６を格子状の補強フレーム１に固定して、風でばたばたと動かないようにしっかりとフレーム１に固定できる。
【００２３】
フレーム１は、外側に透光性シート６を固定して、内部の洗濯物を雨に濡れないようにしている。フレーム１の前面の透光性シート６は、カーテンのように開くことができるようにフレーム１に連結している。したがって、フレーム１は、前面の上部に水平にカーテンレール（図示せず）を固定し、このカーテンレールに開閉できるように透光性シート６の上端縁を連結している。フレーム１の両側面の透光性シート６も、前面と同じようにカーテン式に開くことかできるように、バッテリーフレーム１に連結することができる。この物干し具は、晴天のときに、前面と両側面の透光性シート６を開いて洗濯物を速やかに乾燥できる。
【００２４】
透光性シート６は、フレーム１の全表面を完全には閉塞しない。乾燥用の空気を内部に換気させるためである。図の物干し具は、透光性シート６の上下幅をフレーム１よりも短くして、フレーム１の下部に換気開口９を設けている。さらに、この図に示す物干し具は、フレーム１の上面を閉塞する透光性シート６である天面シート６Ａの周囲に垂れ幕部６ａを設けている。垂れ幕部６ａは、周囲の透光性シート６の上部の外側にあって、図３に示すように、周囲の透光性シート６との間に換気隙間１０を設けている。この構造の物干し具は、送風機４が強制送風することで、上部の換気隙間１０から外気を吸入し、下部の換気開口９から強制的に排気して、洗濯物を乾燥できる。下部の換気開口９からは、空気が強制的に排気されるので、雨水がここから侵入することがない。また、換気隙間１０も外側を垂れ幕部６ａでカバーしているので、ここから雨水が侵入することがない。
【００２５】
フレーム１は、図４に示すように、送風機４と羽根５を設ける機構部１１と、回転軸２とハンガー部３とを設ける乾燥部１２とを別構造とし、これを設置現場で連結して組み立てする構造として、運搬を便利にできる。この物干し具は、ユーザーが設置する現場で、機構部１１と乾燥部１２とを連結し、外側に透光性シートを張設して組み立てることができる。
【００２６】
回転軸２は、上下の両端をベアリング１３を介してフレーム１に連結して、水平面内で回転できるように垂直姿勢でフレーム１に連結される。この回転軸２は、下端をベアリング１３で支持するので、回転軸２に作用する支持力を大きくできる。このため、ハンガー部３に重い洗濯物を連結しても、安定して回転できる。ただし、本発明の物干し具は、回転軸の上端を回転できるように吊り下げて、フレームに連結することもできる。この構造は、回転軸の下端を支持しないので、ハンガー部に回転軸がなく、多量の洗濯物を能率よく連結できる。
【００２７】
ハンガー部３は、回転軸２に放射状に連結している複数のロッド３Ａである。ロッド３Ａは、回転軸２に水平に連結されて、これに洗濯物を脱着できるように連結する。図の物干し具は、回転軸２の上部に１段にハンガー部３のロッド３Ａを設けているが、回転軸が長くフレームが高い場合は、回転軸に複数段にハンガー部のロッドを設けることもできる。
【００２８】
送風機４は、モーター１４のモーター軸１４Ａにスクリュウフィン１５を固定している。モーター軸１４Ａが垂直姿勢となるように、送風機４をフレーム１に固定している。この送風機４は、上から吸入した空気を下方に吹き出して強制送風する。送風機４は、機構部１１の中央部に位置するようにフレーム１に固定している。モーター軸１４Ａにスクリュウフィン１５を固定する軸流ファンは、簡単な構造で多量の空気を強制送風できる。ただし、本発明の物干し具は、送風機を軸流ファンに特定しない。送風機には遠心ファンも使用できる。遠心ファンは、吸入した空気を下方に吹き出すようにフレームに固定される。
【００２９】
羽根５は、送風機４から強制送風される空気で回転されるように、送風機４の吹き出し口１６に配設される。羽根５はスクリュウフィンで、送風機４の真下に配設している。送風機４のファンと羽根５の両方をスクリュウフィンとし、羽根５を送風機４の真下に配置し、送風機４と羽根５の軸１８を直線状に配置する構造は、簡単な構造としながら、送風機４が羽根５を効率よく回転させる。ただし、羽根は、必ずしもスクリュウフィンとする必要はない。羽根は、強制送風される風で回転される全ての風車形状とすることができる。図の羽根５は、軸１８をベアリング１３でフレーム１に回転できるように連結して、減速機１７を介して回転軸２に連結している。羽根は、減速機を介することなく、回転軸に直接に連結することもできる。回転軸に直接に連結される羽根は、軸をベアリングでフレームに連結しないで、回転軸を介してフレームに回転できるように連結することもできる。
【００３０】
減速機１７は、羽根５の回転を減速して回転軸２を回転させる。この構造の物干し具は、高速回転する羽根５で、回転軸２をゆっくりと安定して確実に回転できる。減速機１７が、羽根５の回転トルクを大きくして、回転軸２を強い回転トルクでゆっくりと回転させるからである。このため、この物干し具は、ハンガー部３に多量の重い洗濯物を連結しても、羽根５で回転軸２とハンガー部３と洗濯物をゆっくりと確実に安定して回転させて、洗濯物を均一に乾燥できる。減速機１７は、たとえば羽根５の回転数を１／２〜１／１００に減速して回転軸２を回転させる。
【００３１】
以上の構造の物干し具は、以下のようにして洗濯物を乾燥させる。
(1)  前面の透光性シート６を開いてハンガー部３に洗濯物を連結する。その後、前面の透光性シート６を閉じる。透光性シート６でフレーム１の周囲上面をカバーするので、雨が降っても洗濯物が濡れることはない。
(2)  送風機４を運転する。送風機４は、吸入した空気を下方に強制送風する。強制送風される風は、羽根５を通過して洗濯物に上から下に向かって送風される。羽根５を通過する風は羽根５を回転させる。羽根５は回転軸２を、回転軸２はハンガー部３を、ハンガー部３は洗濯物を水平面内で回転させる。このため、回転される洗濯物に、羽根５を通過した風が上から下に向かって強制的に送風される。この状態で洗濯物は効率よく短時間で乾燥される。送風機４の運転は、タイマーで制御することができる。また、送風機４の回転速度を変更して、強制送風する風速を変更することもできる。湿度が高く、あるいは温度が低くて乾燥に時間がかかるときには、送風機４の回転速度を早くして、強制送風する風で効率よく乾燥するようにする。強制送風する風速を早くしても、風は羽根５を通過して拡散され、さらに上から下に向かって送風されるので、洗濯物を吹き飛ばしたり、あるいは乱すことはない。
(3)  洗濯物が乾燥すると、送風機４の運転を停止して、前面の透光性シート６を開いて、洗濯物を取り出す。
【図面の簡単な説明】
【００３２】
【図１】従来の物干し具の正面図である。
【図２】本発明の一実施例にかかる物干し具の斜視図である。
【図３】本発明の一実施例にかかる物干し具の概略断面図である。
【図４】本発明の他の実施例にかかる物干し具の概略分解図である。
【符号の説明】
【００３３】
１…フレーム
２…回転軸
３…ハンガー部          ３Ａ…ロッド
４…送風機
５…羽根
６…透光性シート        ６Ａ…天面シート
６ａ…垂れ幕部
７…支柱
８…補強ロッド
９…換気開口
１０…換気隙間
１１…機構部
１２…乾燥部
１３…ベアリング
１４…モーター          １４Ａ…モーター軸
１５…スクリュウフィン
１６…吹き出し口
１７…減速機
１８…軸
３１…大径のリング部材
３２…小径のリング部材
３３…接続片
３４…フレーム部材
３５…クリップ
３６…紐状材
３７…籠状保護ケース
３８…電動モータ
３９…送風用ファン
４０…送風手段
４１…鎖材
４２…鎖材
４３…フック部材
４４…横フレーム
４５…連結フレーム
【図１】
2006051134.tif 000003
【図２】
2006051134.tif 000004
【図３】
2006051134.tif 000005
【図４】
2006051134.tif 000006